(57)【要約】【課題】シャンプー後のすすぎ作業を比較的狭い作業スペースで簡単に行うことができ、しかもシャンプーによる泡を被洗髪者からきれいに洗い流すことがでる洗髪用吸収パッドを提供すること。【解決手段】洗髪用吸収パッド１は、洗髪に使用した湯水の吸収に使用されるもので、使用時に被洗髪者の頭部から相対的に近い位置に配される肌対向面と、該頭部から相対的に遠い位置に配される非肌対向面とを有し、肌対向面側に位置する表面シート２と、非肌対応面側に位置する裏面シート３と、両シート２，３間に配置される吸収体４とを具備する。洗髪用吸収パッド１の吸泡時間は３０秒以下である。表面シート２に吸泡剤及び吸泡助剤が含有されている。【選択図】図３
2018121689.tif 000002
【特許請求の範囲】
【請求項１】
洗髪に使用した湯水の吸収に使用され、使用時に被洗髪者の頭部から相対的に近い位置に配される肌対向面と、該頭部から相対的に遠い位置に配される非肌対向面とを有し、肌対向面側に位置する表面シートと、非肌対応面側に位置する裏面シートと、両シート間に配置される吸収体とを具備する洗髪用吸収パッドであって、
下記方法により測定される吸泡時間が３０秒以下である洗髪用吸収パッド。
＜吸泡時間の測定方法＞
評価対象の吸収パッドを、肌対向面を上に向けて水平面上に載置し、さらに、該吸収パッドの肌対向面上に、内径３６ｍｍで軸方向両端が開口している透明の円筒部を具備する泡注入具を、該円筒部の軸方向が垂直方向に一致するように載置する。こうして前記吸収パッド上に前記泡注入具が載置された状態では、該吸収パッドにおける該円筒部で囲まれた測定対象部位を、透明の該円筒部を介して外部から視認することができる。この状態から先ず、ポンプディスペンサーで調製した泡を容器に入れ、シリンジで該容器から該泡を体積にして２０ｍＬ吸引し、その２０ｍＬの泡を前記円筒部の上端開口から注入して前記測定対象部位の全域を該泡で被覆し、次いで、泡の注入後速やかに該上端開口から３８℃の湯を２０ｍＬ注入する。そして、斯かる湯の注入直後から、前記測定対象部位を覆っている泡の一部が消失して該測定対象部位の一部が前記円筒部を介して視認できるようになるまでに要した時間を測定し、その時間を当該評価対象の吸泡時間とする。
【請求項２】
前記表面シートにシリコーン系吸泡剤及び吸泡助剤が含有されている請求項１に記載の洗髪用吸収パッド。
【請求項３】
洗髪に使用した湯水の吸収に使用され、使用時に被洗髪者の頭部から相対的に近い位置に配される肌対向面と、該頭部から相対的に遠い位置に配される非肌対向面とを有し、肌対向面側に位置する表面シートと、非肌対応面側に位置する裏面シートと、両シート間に配置される吸収体とを具備する洗髪用吸収パッドであって、
前記表面シートにシリコーン系吸泡剤及び吸泡助剤が含有されている洗髪用吸収パッド。
【請求項４】
前記シリコーン系吸泡剤が、ジメチルポリシロキサンである請求項３に記載の洗髪用吸収パッド。
【請求項５】
前記吸泡助剤として、微粒子及び界面活性剤からなる群から選択される１種以上を含有する請求項２〜４の何れか１項に記載の洗髪用吸収パッド。
【請求項６】
前記界面活性剤が、ノニオン性界面活性剤である請求項５に記載の洗髪用吸収パッド。
【請求項７】
前記シリコーン系吸泡剤及び前記吸泡助剤が、前記表面シートにおいて非肌対向面側よりも肌対向面側に多く存在している請求項２〜６の何れか１項に記載の洗髪用吸収パッド。
【発明の詳細な説明】
【技術分野】
【０００１】
本発明は、洗髪に使用した湯水の吸収に使用され、介護者が臥床者の洗髪をその臥床状態のまま実施する場合などに好適に使用できる洗髪用吸収パッドに関する。
【背景技術】
【０００２】
病院や介護施設などでは、ベッドや布団で臥床状態のまま自分で体を思うように動かせない患者や被介護者などの臥床者に対して、定期的に洗髪が行われる。臥床者の洗髪は、頭髪が清潔に保たれるという衛生面のみならず、臥床者の心身をリラックスさせる効果も期待でき、重要な患者ケアの１つと考えられている。従来、臥床者の洗髪には、洗髪による寝床の濡れや汚れを防止する目的で、吸水性の使い捨ておむつが使用される場合がある。即ち、使い捨ておむつを適当な形状、大きさにカットしたものを、臥床者の頭部の下方に敷いて洗髪を行うという方法であるが、本来尿などの排泄物の吸収に使用されるおむつを頭部にあてがうということが、臥床者にとっては大きなストレス要因となり得、また、敷物として使用されるおむつは、洗髪用途を考慮したものではないため洗髪において使い勝手が良いとは言い難く、作業性の点でも改善の余地がある。
【０００３】
臥床者の洗髪専用道具としては従来、ケリーパッド（登録商標）と呼ばれるゴム製の洗髪具、あるいはこのケリーパッドと同様の構成の自作の洗髪具が使用されている。ケリーパッドは、臥床者の頭部が載せられるパッドと、該パッドに連接された排水路とを備え、使用時には、該パッドを臥床者の頭部の下方に配置し、該排水路の一端を臥床者よりも下方位置、例えば臥床者が寝ているベッドの下に配置したバケツの中に配置し、その状態で臥床者の頭部上方より頭髪に向けて湯水を流しながら洗髪を実施する。斯かる洗髪方法によれば、洗髪に使用した湯水は排水路を通ってベッドの下のバケツに溜まるので、ベッドや布団を濡らさずに洗髪を行うことができる。しかしながら斯かる洗髪方法は、準備や後片付けが面倒であり、また水漏れの心配があるなど、改善の余地がある。
【０００４】
特許文献１には、臥床者の洗髪に使用可能な洗浄用シートとして、平面視長方形形状をなし、一方の面が防水シートで覆われ、中央部の内部に吸水性ポリマーなどの吸収剤が収容された構成のものが記載されている。特許文献１記載の洗浄用シートによれば、吸収剤を含有しているため、周囲に水を漏らすことなく水を使用した体の洗浄が可能であり、また、平面視長方形形状をなしているため、該吸収剤を効率的に使用して多量の水を吸収できるとされている。
【０００５】
特許文献２には、隠蔽性や液残り抑制効果に優れ、生理用ナプキン等の吸収性物品における表面シートとして好適に使用できる不織布として、２層構造の不織布における一方の層の構成繊維に、該構成繊維の表面の親水度を高める目的で、ポリオルガノシロキサン、アニオン界面活性剤及びアルキルヒドロキシスルホベタインを含有する繊維処理剤を付着させたものが記載されている。
【先行技術文献】
【特許文献】
【０００６】
【特許文献１】特開２００３−２１０３５２号公報
【特許文献２】特開２０１６−６９７４８号公報
【発明の概要】
【発明が解決しようとする課題】
【０００７】
臥床者の洗髪においては通常、臥床者の頭部の下に吸収パッドを敷いた状態で、頭髪にシャンプーをつけて洗浄し、さらに湯水ですすいでそのシャンプーを洗い流す。このシャンプーの洗い流し液には、湯水の他にシャンプーによる泡が含まれるところ、使い捨ておむつ等を含め、従来洗髪に使用されている吸収パッドは、洗い流し液中の湯水は吸収できるが泡は吸収できないため、洗い流し液中の湯水が吸収パッドによって吸収された後も泡だけは吸収パッド上に残り、その吸収パッド上に残った泡が臥床者の頭髪、耳、首などに転移するなどして、臥床者の頭部や首などに泡が残り続けるという課題がある。このような身体にしつこく残り続ける泡を除去するために従来、シャンプー後の頭髪のすすぎを複数回に分け、吸収パッドにおける２回以降のすすぎの実施位置をその前の回のすすぎの実施位置から変更する方法が採られているところ、この洗髪方法は、すすぎの実施位置の変更の度に臥床者の頭部を移動させる必要があるため、すすぎ作業が煩雑となって作業時間が長くなり、また、比較的大きなサイズの吸収パッドを使用する必要があるため、それに対応した比較的大きな作業スペースの確保が必要となる。しかしながら、臥床者の洗髪が主に行われる病院や介護施設、在宅の介護現場などでは、往々にして、洗髪にかけられる時間や作業スペースの確保は容易でなく、シャンプー後のすすぎ作業を比較的狭い作業スペースで簡単に実施し得る技術が要望されている。
【０００８】
従って本発明は、シャンプー後のすすぎ作業を比較的狭い作業スペースで簡単に行うことができ、しかもシャンプーによる泡を被洗髪者からきれいに洗い流すことがでる洗髪用吸収パッドを提供することに関する。
【課題を解決するための手段】
【０００９】
本発明は、洗髪に使用した湯水の吸収に使用され、使用時に被洗髪者の頭部から相対的に近い位置に配される肌対向面と、該頭部から相対的に遠い位置に配される非肌対向面とを有し、肌対向面側に位置する表面シートと、非肌対応面側に位置する裏面シートと、両シート間に配置される吸収体とを具備する洗髪用吸収パッドであって、下記方法により測定される吸泡時間が３０秒以下である洗髪用吸収パッドを提供するものである。
【００１０】
＜吸泡時間の測定方法＞
評価対象の吸収パッドを、肌対向面を上に向けて水平面上に載置し、さらに、該吸収パッドの肌対向面上に、内径３６ｍｍで軸方向両端が開口している透明の円筒部を具備する泡注入具を、該円筒部の軸方向が垂直方向に一致するように載置する。こうして前記吸収パッド上に前記泡注入具が載置された状態では、該吸収パッドにおける該円筒部で囲まれた測定対象部位を、透明の該円筒部を介して外部から視認することができる。この状態から先ず、ポンプディスペンサーで調製した泡を容器に入れ、シリンジで該容器から該泡を体積にして２０ｍＬ吸引し、その２０ｍＬの泡を前記円筒部の上端開口から注入して前記測定対象部位の全域を該泡で被覆し、次いで、泡の注入後速やかに該上端開口から３８℃の湯を２０ｍＬ注入する。そして、斯かる湯の注入直後から、前記測定対象部位を覆っている泡の一部が消失して該測定対象部位の一部が前記円筒部を介して視認できるようになるまでに要した時間を測定し、その時間を当該評価対象の吸泡時間とする。
【００１１】
また本発明は、洗髪に使用した湯水の吸収に使用され、使用時に被洗髪者の頭部から相対的に近い位置に配される肌対向面と、該頭部から相対的に遠い位置に配される非肌対向面とを有し、肌対向面側に位置する表面シートと、非肌対応面側に位置する裏面シートと、両シート間に配置される吸収体とを具備する洗髪用吸収パッドであって、前記表面シートにシリコーン系吸泡剤及び吸泡助剤が含有されている洗髪用吸収パッドを提供するものである。
【発明の効果】
【００１２】
本発明によれば、シャンプー後のすすぎ作業を比較的狭い作業スペースで簡単に行うことができ、しかもシャンプーによる泡を被洗髪者からきれいに洗い流すことがでる洗髪用吸収パッドが提供される。
【図面の簡単な説明】
【００１３】
【図１】図１は、本発明の洗髪用吸収パッドの一実施形態の上面側即ち表面シート側を模式的に示す平面図であり、各部の弾性部材を伸張させて平面状に拡げた展開状態における平面図である。
【図２】図２は、図１のＩ−Ｉ線断面を模式的に示す断面図である。
【図３】図３は、図１に示す洗髪用吸収パッドの使用状態の説明図である。
【図４】図４（ａ）は、吸液時間の測定方法の説明図、図４（ｂ）は、図４（ａ）に示す泡注入具の円筒部に泡を注入した直後に該円筒部の上端開口から吸収パッドの測定対象部位を観察した状態（該測定対象部位の全域が泡で覆われている状態）を模式的に示す平面図、図４（ｃ）は、図４（ｂ）に示す状態から所定時間経過後の状態（該測定対象部位を覆っていた泡の一部が消失した状態）を模式的に示す平面図である。
【図５】図５（ａ）は、表面シートにシリコーン系吸泡剤のみを含有させた場合において、該表面シート上に泡が形成された状態を模式的に示す、該表面シートの厚み方向に沿う断面図、図５（ｂ）は、図５（ａ）に示す泡膜の一部を拡大して模式的に示す拡大断面図である。
【図６】図６は、表面シートにシリコーン系吸泡剤及び吸泡助剤を含有させた場合の図５（ｂ）相当図であり、図６（ａ）〜図６（ｃ）は、破泡の様子を段階的に示す模式図である。
【発明を実施するための形態】
【００１４】
以下、本発明の洗髪用吸収パッドをその好ましい実施形態に基づき図面を参照して説明する。図１〜図３には、本発明の洗髪用吸収パッドの一実施形態である吸収パッド１が示されている。吸収パッド１は、図３に示すように、臥床者などの被洗髪者（図中の符号１００）の洗髪時に、該被洗髪者の頭部（図中の符号１０１）の下方に配置され、洗髪に使用した湯水の吸収に使用可能な洗髪補助具であり、吸収性物品の一種である。本明細書でいう「臥床者」とは、ベッドや床に敷かれた布団などの寝床で安静にしている状態の人を意味し、この「安静にしている状態」には、寝床に全身を横たえた状態、寝床で上半身だけ起こした状態などが含まれる。以下で使用する「被洗髪者」という用語には、特に断らない限り「臥床者」が含まれる。
【００１５】
吸収パッド１は、図１及び図２に示すように、使用時に被洗髪者の頭部から相対的に近い位置に配される液透過性の表面シート２と、該頭部から相対的に遠い位置に配される液難透過性の裏面シート３と、両シート２，３間に配置された吸収体４とを具備する吸収性本体５を備えている。吸収性本体５は、被洗髪者の身長方向に対応する縦方向Ｘと、該身長方向に直交する左右方向に対応する横方向Ｙとを有している。
【００１６】
吸収パッド１において吸収性本体５は、図１に示す如き平面視において四角形形状（正方形形状）をなし、また吸収体４も、吸収性本体５よりは面積が小さいものの、平面視において四角形形状（正方形形状）をなし、吸収性本体５と吸収体４とは互いにほぼ相似である。表面シート２は、吸収性本体５の上面即ち使用時に被洗髪者の頭部側に向けられる面（肌対向面）を形成し、裏面シート３は、吸収性本体５の下面即ち使用時に被洗髪者の頭部側に向けられる面とは反対側の面（非肌対向面）を形成する。
【００１７】
尚、本明細書において、「肌対向面」は、吸収パッド又はその構成部材（例えば表面シート２）における、吸収パッドの使用時即ち洗髪時に被洗髪者の肌側（頭部側）に向けられる面、即ち相対的に被洗髪者の肌に近い側であり、「非肌対向面」は、吸収パッド又はその構成部材における、吸収パッドの使用時に肌側とは反対側に向けられる面、即ち相対的に被洗髪者の肌から遠い側である。
【００１８】
表面シート２及び裏面シート３は、平面視において互いに同サイズの同形状をなしており、それぞれ、吸収体４よりも面積が大きく、吸収体４の周縁４Ｅから外方に延出する延出部を有している。より具体的には、表面シート２は、吸収体４の肌対向面の全域を被覆し、さらに吸収体４の周縁４Ｅの全体から外方に延出し、また裏面シート３は、吸収体４の非肌対向面の全域を被覆し、さらに吸収体４の周縁４Ｅの全体から外方に延出しており、これら両シート２，３の周縁４Ｅからの延出部どうしが、互いに接合され一体化されてフラップ部５Ｆが形成されている。このような吸収体４の周縁４Ｅからの延出部たるフラップ部５Ｆは、吸収体４の周縁４Ｅに沿って配され、吸収体４を包囲している。表面シート２及び裏面シート３それぞれと吸収体４との間は接着剤によって接合されていても良い。
【００１９】
吸収パッド１においては、吸収性本体５の縦方向Ｘの両端部に、使用時に上方即ち被洗髪者の頭部側に向かって起立する一対の防漏カフ６，６が横方向Ｙに延びるように配されている。各防漏カフ６は、吸収パッド１の横方向Ｙの全長にわたって連続している。各防漏カフ６は、図２に示すように、フラップ部５Ｆ（表面シート２及び裏面シート３における吸収体４の横方向Ｙに沿う周縁４Ｅからの延出部）からなる防漏カフ形成用シート６０と、フラップ部５Ｆに横方向Ｙに伸長状態で固定された１本又は複数本（図示の形態では５本）の糸状の防漏カフ形成用弾性部材６１とを含んで構成されている。シート６０は、吸収体４の横方向Ｙに沿う周縁４Ｅに沿って延びる図示しない折曲線にて表面シート２側に折り曲げられ、そのシート６０の表面シート２側に折り曲げられた部分を構成する表面シート２と裏面シート３との間に弾性部材６１が横方向Ｙに伸長状態で固定されて、横方向Ｙに伸縮性を有する弾性伸縮部６２が形成されている。弾性伸縮部６２は、シート６０の横方向Ｙの両端部においてのみ表面シート２に接合され、該両端部以外の部分（図１においてドットが付された部分）においては、表面シート２をはじめとする吸収パッド１の他の構成部材に対して非接合とされている。以上の構成により、吸収パッド１の使用時には横方向Ｙに弾性部材６１の収縮力が働き、防漏カフ６は、その横方向Ｙの両端部以外の部分（図１においてドットが付された部分）において図２に示すように、自由端部側を図示しない着用者の肌に向けて起立し、それに伴って吸収パッド１は表面シート２側に凹状に湾曲する。防漏カフ６，６は、表面シート２の代わりに別体のシートが配され、該別体のシートと裏面シート３との間で弾性部材６１を挟んでいてもよく、該別体のシートは撥水性であることが好ましい。
【００２０】
吸収パッド１においては、防漏カフ６の存在により、洗髪に使用した湯水が吸収パッド１の外部へ漏れ出す不都合が効果的に防止される。特に本実施形態においては、前述した通り防漏カフ６が、フラップ部５Ｆの折り畳み構造をなしているため、図３に示すように吸収パッド１の使用時において、防漏カフ６の弾性伸縮部６２と表面シート２との間にポケット構造が形成され、このポケット構造によって液の拡散、外部への液の漏れ出しが一層効果的に抑制される。また防漏カフ６は、このような防漏機能のみならず、図３に示すように、被洗髪者１００の後頚部を下方から支持して頭部１０１の位置を安定させる機能も有している。
【００２１】
吸収パッド１の各部材については、基本的に使い捨ておむつなどの排泄物吸収用物品において従来用いられているものを特に制限なく用いることができる。表面シート２としては、液透過性シートとして例えば、合成繊維又は天然繊維からなる親水性の織布や不織布、多孔性シート等が挙げられる。裏面シート３としては、液難透過性シートとして例えば、ポリエチレンフィルム等の樹脂製フィルム、撥水不織布等の不織布等が挙げられる。ここでいう「液難透過性」には、液の透過を完全に遮断し得る液不透過性と、若干量の液は透過し得る性質とが含まれる。裏面シート３の好ましい一例として、使用時に被洗髪者の頭部から近い順に、樹脂製フィルムと不織布とが順次積層された複合シートが挙げられる。斯かる複合シートは風合いと強度に優れるという特長を有する。吸収体４としては、吸水性ポリマーを含む吸収性コアを用いることができる。この吸収性コアには親水性繊維を含めることができ、該親水性繊維としては、木材パルプの如き本来的に親水性の繊維の他、本来的に疎水性の繊維に親水化処理を施した繊維を用いることもできる。吸収性コアの典型的なものは、繊維材料の集合体で吸水性ポリマーの小片を含有するものである。吸収体４は、吸収性コアとこれを被覆するコアラップシートとを含んで構成されていても良く、該コアラップシートとしては、表面シート２として使用可能な液透過性シートを用いることができ、典型的には紙又は不織布である。吸収体４（前記吸収性コア）の坪量は、好ましくは２００ｇ／ｍ２以上、さらに好ましくは３００ｇ／ｍ２以上、そして、好ましくは６００ｇ／ｍ２以下、さらに好ましくは５００ｇ／ｍ２以下である。
【００２２】
吸収パッド１の主たる特徴の１つとして、前記方法により測定される吸泡時間が３０秒以下である点が挙げられる。吸泡時間は、その測定方法から明らかなように、吸収パッドがその肌対向面に付与された一定量の泡を吸収するのに要する時間であり、吸泡時間が短いほど、当該吸収パッドは吸泡性能に優れ、泡を速やかに吸収し得ることを示す。
【００２３】
図４には、前記方法により吸収パッド１の吸泡時間を測定する様子が示されている。図４中の符号２０は泡である。測定に使用する泡注入具１０は、図４（ａ）に示すように、軸方向両端それぞれに開口１１を有する中空且つ透明の円筒部１２を具備する。円筒部１２は、軸方向両端それぞれに、径方向外方に向かって延在する環状のフランジ部１３を具備しており、このフランジ部１３により、泡注入具１０を図４（ａ）に示す如く、円筒部１２の軸方向を垂直方向に一致させて吸収パッド１の肌対向面即ち表面シート２上に載置したときの安定性が向上する。円筒部１２は、内径３６ｍｍ、高さ７５ｍｍであり、また、透明な材料から形成されているため、その内部（中空部）を外部から視認することができる。円筒部１２の形成材料としては、液不透過性及び測定に必要な強度を有し、内部を視認可能程度の透明性を有するものであれば良く、例えば、ガラス、アクリル樹脂などが挙げられる。
【００２４】
吸泡時間の測定に供する吸収パッドは、製品形態の吸収パッドをハサミや裁断機などを用い、縦５０ｍｍ、横５０ｍｍの平面視四角形形状とする。吸泡時間の測定に供する泡は、前記の通り「ポンプディスペンサーで調製した泡」であるところ、これは、ポンプディスペンサー容器に収容されたシャンプーを常法に従って該ポンプディスペンサー容器から吐出させることで得られるもので、具体的には、市販の泡吐出タイプのポンプディスペンサー容器入りシャンプー（花王株式会社製、商品名「メリット泡で出てくるシャンプーＫｉｄ’s」）によって調製する。泡及び湯を泡注入具の上端開口から注入する際には、市販のシリンジ（例えばテルモ株式会社製、商品名「テルモシリンジ」）を用いることができる。
【００２５】
泡注入具１０の円筒部１２に泡２０を注入した直後は、図４（ｂ）に模式的に示すように、吸収パッド１における円筒部１２で囲まれた測定対象部位１Ｔの全域が泡２０で覆われるため、円筒部１２を介して外部から測定対象部位１Ｔを視認することが不可となるが、測定対象部位１Ｔが吸泡機能を有している場合には、その後の湯の注入後から泡２０が経時的に測定対象部位１Ｔに吸収されて消失する結果、図４（ｃ）に模式的に示すように、測定対象部位１Ｔの一部が露出する。円筒部１２に湯を注入してからこの露出部が現れるまでに要した時間が、吸収パッド１の吸泡時間である。
【００２６】
吸収パッド１は吸泡時間が３０秒以下であるため、泡切れが良好である。そのため、例えば図３に示す如くに、吸収パッド１を臥床者の頭部の下方に配置して常法に従って洗髪に使用した場合には、シャンプーの洗い流し液に含まれる泡は、吸収パッド１の内部の吸収体４に速やかに吸収されて表面シート２上に残りにくいため、臥床者の頭髪、耳、首などに泡が残りにくく、従来臥床者に与えていた、泡が頭髪などに残ることに起因する不快感が低減される。また、このように吸収パッド１の使用によって臥床者の頭髪などに泡が残りにくくなるのに伴い、臥床者の洗髪の際に従来行われていた、「シャンプー後の頭髪のすすぎの複数回実施」が不要になるため、洗髪時間の短縮化、作業スペースの縮小化が図られ、シャンプー後のすすぎ作業を比較的狭い作業スペースで簡単に行うことが可能となる。また、吸収パッド１によれば洗髪のための作業スペースは比較的狭いもので十分であるから、吸収パッド１自体の大きさが比較的コンパクトなものとなり、これは製造コスト、ハンドリング性、廃棄性などの点で有利である。このような効果をより有利なものとするため、吸収パッド１の吸泡時間は１０秒以下であることが好ましい。
【００２７】
吸収パッド１に「吸泡時間が３０秒以下」という優れた吸泡機能を付与しているのは、主として、表面シート２及び吸収体４である。特に、表面シート２にはシリコーン系吸泡剤及び吸泡助剤が含有されており、両剤によって表面シート２は、その肌対向面上に形成された泡を破壊し（破泡）、あるいは泡の発生を抑制（抑泡）し得る。また吸収体４が、表面シート２によって破泡ないし抑泡された発泡液（例えばシャンプーの洗い流し液）を吸収保持することが、表面シート２の肌対向面上での泡の発生の抑制に繋がる。つまり、吸収パッド１が備える優れた吸泡機能は、表面シート２が含有するシリコーン系吸泡剤及び吸泡助剤による破泡ないし抑泡機能と、吸収体４による吸液機能とが相俟って発現するものである。
【００２８】
吸泡機能、特に破泡ないし抑泡機能の発現には、シリコーン系吸泡剤及び吸泡助剤の組み合わせが重要である。例えば図５（ａ）に示すように、表面シート２の肌対向面にシリコーン系吸泡剤２３のみが塗布されている場合において、この吸泡剤２３の塗布部に泡２０が形成されると、その泡２０を形作っている泡膜２１に表面張力の小さい吸泡剤２３の液滴が侵入するが、その泡膜２１に侵入した吸泡剤２３の液滴は、図５（ｂ）に示すように、気−液界面２２には侵入せずに泡膜２１（液相）に留まるため、破泡には至らない。
【００２９】
これに対し、シリコーン系吸泡剤２３に加えてさらに吸泡助剤２４（例えばシリカ）を用いた場合には、図６に示すように、泡膜２１に侵入した吸泡剤２３の液滴の表面に吸泡助剤２４が多数付着しているため、それらの吸泡助剤２４が気−液界面２２に侵入し、さらには気−液界面２２をよりも外側の気相に侵入する。こうして吸泡助剤２４が気相に侵入することでその侵入部の表面張力が周辺部よりも低下し、斯かる局部的な表面張力差の発生によって破泡に至る。
【００３０】
尚、吸泡助剤が、シリカのような微粒子ではなく、界面活性剤である場合、その破泡のメカニズムは前記とは異なる。即ち例えば、表面シート２の肌対向面に、シリコーン系吸泡剤及び吸泡助剤としての界面活性剤を塗布した場合には、該界面活性剤の作用により、該吸泡助剤の泡膜（液相）での吸泡剤の分散性が向上し、これにより泡膜の弾性が低下して泡膜が不安定になり、破泡に至る。
【００３１】
＜シリコーン系吸泡剤及び吸泡助剤の有無確認方法＞
吸収性物品の構成部材（例えば、不織布製の表面シート）がシリコーン系吸泡剤及び吸泡助剤を含有しているか否かは、その構成部材を適当な溶媒に浸漬するなどして洗浄し、その洗浄液（洗浄後の溶媒）から溶媒を揮発させて乾固物を得、該乾固物をクロマトグラフィー等の公知の方法で分析することで確認することができ、その際、該乾固物に含まれるシリコーン系吸泡剤及び吸泡助剤の量から、当該構成部材におけるシリコーン系吸泡剤及び吸泡助剤の含有量を算出することもできる。前記溶媒としては、例えばヘキサン、メタノール、エタノールなどを用いることができる。前記乾固物から取り出したある物質（シリコーン系吸泡剤又は吸泡助剤と思われる物質）について表面張力や界面張力などの測定を行う場合において、斯かる測定を行うには量が少ない場合には、取り出した物質の構成物に合わせて適切なカラム及び溶媒を選択した上で、それぞれの成分を高速液体クロマトグラフィーで分画し、さらに各画分についてＭＳ測定、ＮＭＲ測定、元素分析等を行うことで、各画分の構造を同定する。また、シリコーン系吸泡剤及び吸泡助剤が高分子化合物を含むと考えられる場合は、ゲル浸透クロマトグラフィー（ＧＰＣ）などの手法を併用することで、構成成分の同定を行うことがより容易になる。
【００３２】
尚、シリコーン系吸泡剤及び吸泡助剤の有無の確認対象たる構成部材が、製品たる吸収性物品に組み込まれて他の構成部材と接合されている場合は、その接合状態を解除して確認対象を製品から取り出した上で、シリコーン系吸泡剤及び吸泡助剤の有無の確認作業を行う。この確認対象の製品からの取り出しは、例えば、製品における確認対象たる構成部材と他の構成部材との接合部分（例えば接着剤の塗布部）に、接合解除手段としてコールドスプレー等の冷却手段を付与してその接合力を弱め、しかる後、確認対象のみを丁寧に剥がすことで行うことができる。斯かる吸収性物品の構成部材の取り出しは、特に断らない限り、吸収性物品の構成部材についての他の評価測定においても適用可能である。
【００３３】
本発明では吸泡剤としてシリコーン系吸泡剤を用いる。他の吸泡剤として例えば、グリセリルポリプロピレングリコールエーテル、ポリオキシエチレンポリオキシプロピレングリコール、ポリプロピレングリコールなどの炭化水素系吸泡剤があるが、シリコーン系吸泡剤は、洗髪用吸収パッドに吸泡時間３０秒以下という優れた吸泡機能を他の吸泡剤よりも安定的に付与することができ、さらに、化学的に不活性で粘度以外は温度による特性変化がないため、本発明で採用されたものである。シリコーン系吸泡剤の形態は特に限定されず、オイル型、溶液型、粉末型、エマルジョン型などから適宜選択できる。
【００３４】
前記シリコーン系吸泡剤としては、例えば、ジメチルポリシロキサン、シクロオクタメチルテトラシロキサン、ポリエステル変性シリコーン、ポリオキシエチレン変性シリコーン、アルキル変性シリコーン、アラルキル変性シリコーン、ポリエーテル変性シリコーン、高級脂肪酸変性シリコーン、フルオロシリコーン、アミノ変性シリコーン、エポキシ変性シリコーンが挙げられ、これらの１種を単独で又は２種以上を組み合わせて用いることができる。これらのシリコーン系吸泡剤の中でも特に、安全性の観点から、ジメチルポリシロキサンが好ましい。
【００３５】
本発明に係る吸泡助剤としては、微粒子及び界面活性剤が挙げられ、これらの１種を単独で又は２種以上を組み合わせて用いることができる。
【００３６】
前記微粒子（吸泡助剤）としては、併用されるシリコーン系吸泡剤が泡膜中で形成する液滴（油滴）よりも小さい粒径の粒子を用いることができ、例えば、シリカ、酸化アルミニウム、タルク、ゼオライト等の無機微粒子；ワックス、脂肪酸アミド、ステアリン酸アルミ等の有機微粒子が挙げられる。特に無機微粒子は、シャンプーによる泡のような水系発泡液において吸泡効果を向上させることから、吸泡助剤として好ましく用いられる。
【００３７】
前記微粒子（吸泡助剤）の平均粒子径は、前述した破泡作用をより確実に発現させる観点から、好ましくは０．３μｍ以上、そして、好ましくは２５μｍ以下、さらに好ましくは３μｍ以下である。微粒子の平均粒子径は下記方法により測定される。
【００３８】
＜平均粒子径の測定方法＞
微粒子（吸泡助剤）の平均粒子径は、レーザ回折散乱式粒子径分布測定装置（例えば、堀場製作所株式会社製、装置名「Ｐａｒｔｉｃａ ＬＡ−９５０Ｖ２」）を使用して、常法に従って測定することができる。
測定対象の微粒子（吸泡助剤）が不織布などの繊維シートに付着している場合は、以下の方法で測定対象の平均粒子径を測定することができる。まず、微粒子（吸泡助剤）が付着した繊維シートを適当な溶媒（例えばヘキサン）に浸漬するなどして洗浄し、その洗浄液（洗浄後の溶媒）を乾燥させて乾固物を得る。別途、繊維シートの洗浄に用いた溶媒と同じ溶媒（ヘキサン）をバッチセルに入れて前記レーザ回折散乱式粒子径分布測定装置を使用してブランク測定を行う。また、繊維シートの洗浄に用いた溶媒と同じ溶媒（ヘキサン）に前記乾固物を適量加えて均一に混合し、その混合物を、真空デシケーターを用いて１〜１０ｋＰａで減圧脱泡した後、泡が入らないようにバッチセルに移し、前記レーザ回折散乱式粒子径分布測定装置を使用して実測定を行う。この実測定における測定値から前記ブランク測定における測定値を差し引くことで、目的とする微粒子（吸泡助剤）の平均粒子径が算出される。
【００３９】
前記界面活性剤（吸泡助剤）としては、例えば、ポリオキシエチレンラウリルエーテル硫酸ナトリウム、ラウリル硫酸ナトリウム等のアニオン性界面活性剤；アルキルベンジルジメチルアンモニウムクロライド、ジステアリルジメチルアンモニウムクロライド等のカチオン性界面活性剤；ポリオキシエチレンステアリルエーテル、ステアリン酸ソルビタン、ステアリン酸グリセリル等のノニオン性界面活性剤が挙げられる。特にノニオン性界面活性剤は、泡を形成する泡膜（液相）でのシリコーン系吸泡剤の分散性に優れ破泡効果が高いことから、吸泡助剤として好ましく用いられる。
【００４０】
また、吸収パッドが前述したシリコーン系吸泡剤及び吸泡助剤を含有していても、その含有部位が適切でなければ吸泡機能は十分に発現されないおそれがある。本発明者らの知見によれば、吸収体が吸収性コアとこれを被覆するコアラップシートとを含んで構成されている場合に、該コアラップシートにシリコーン系吸泡剤及び吸泡助剤を含有させた場合よりも、表面シートに両剤を含有させた方が、泡膜とシリコーン系吸泡剤及び吸泡助剤とが接触しやすいため、吸泡時間が短く吸泡性能に優れる。斯かる知見に基づき、吸収パッド１においては、表面シート２にシリコーン系吸泡剤及び吸泡助剤が含有されている。
【００４１】
また、吸泡性能のさらなる向上の観点、特に破泡速度の向上の観点から、シリコーン系吸泡剤及び吸泡助剤は、表面シート２において非肌対向面側よりも肌対向面側に多く存在（偏在）していることが好ましい。このようにシリコーン系吸泡剤及び吸泡助剤を表面シートの肌対向面側に偏在させる方法としては、表面シート２の肌対向面にシリコーン系吸泡剤及び吸泡助剤（例えば両剤の混合物）を塗布する方法が挙げられる。両剤の塗布は公知の塗布方法を適宜利用できる。シリコーン系吸泡剤及び吸泡助剤の塗布パターンは特に制限されず、表面シート２の一面において、塗布部と非塗布部とが混在するパターンでも良く、あるいは該一面の全域に両剤が塗布されたパターンでも良い。シリコーン系吸泡剤及び吸泡助剤の偏在状態は、下記方法により確認することができる。
【００４２】
＜シリコーン系吸泡剤及び吸泡助剤の偏在状態の確認方法＞
確認対象たる吸収性物品の構成部材（例えば、不織布製の表面シート）を５ｍｍ×５ｍｍの平面視四角形形状にカットして測定サンプルとし、その測定サンプルを試料台にカーボンテープを用いて取り付ける。試料台を走査型電子顕微鏡（Ｓ４３００ＳＥ／Ｎ、株式会社日立製作所製）に無蒸着の状態で入れ、該試料台の周囲環境を低真空又は真空状態にした上で、該走査型電子顕微鏡に付属するアニュラー形反射電子検出器を用いて常法に従って検出を行う。斯かる測定サンプルに対する検出によって取得される画像においては、原子番号の大きい物質ほど反射電子を放出しやすいことから、ポリエチレン（ＰＥ）やポリプロピレン（ＰＰ）やポリエステル（ＰＥＴ）を主に構成する炭素原子や水素原子より原子番号の大きい酸素原子やケイ素原子を多く含む、シリコーン系吸泡剤又は吸泡助剤の存在部分が白色を呈し、また、その白色の度合いは、当該剤を構成する原子の原子番号が大きいほど、あるいは該存在部分に存する当該剤の量が多いほど増す傾向がある。そこで、測定サンプルについての前記の電子顕微鏡による取得画像において、白色の度合いが不均一であれば、当該構成部材においてシリコーン系吸泡剤及び吸泡助剤が偏在していると判断することができ、また、その白色の度合いが相対的に強い部分に、シリコーン系吸泡剤及び吸泡助剤が偏在していると判断できる。
【００４３】
表面シート２におけるシリコーン系吸泡剤の含有量は、好ましくは０．４ｇ／ｍ２以上、さらに好ましくは０．９ｇ／ｍ２以上、そして、好ましくは２００ｇ／ｍ２以下、さらに好ましくは１００ｇ／ｍ２以下である。
表面シート２における吸泡助剤の含有量は、好ましくは０．１ｇ／ｍ２以上、さらに好ましくは０．３ｇ／ｍ２以上、そして、好ましくは１５ｇ／ｍ２以下、さらに好ましくは１０ｇ／ｍ２以下である。
表面シート２におけるシリコーン系吸泡剤及び吸泡助剤の含有量をこの下限以上とすることで、吸泡機能を担保することができ、この上限以下とすることで、被洗髪者の頭髪や頭部にシリコーン系吸泡剤及び吸泡助剤が転移してベタつく等の不快感を予防することができ、あるいは洗浄時の泡立ちを良くすることができる。
【００４４】
また、シリコーン系吸泡剤及び吸泡助剤が含有される表面シート２としては、前述した通り、排泄物吸収用物品における表面シートとして従来用いられているものを特に制限なく用いることができるが、特に好ましいものとして不織布、特に、スパンボンド不織布、エアスルー不織布、ポイントボンド不織布、スパンレース不織布を例示できる。シリコーン系吸泡剤及び吸泡助剤が含有されていない状態での表面シート２の坪量は、好ましくは１５ｇ／ｍ２以上、さらに好ましくは１７ｇ／ｍ２以上、そして、好ましくは４０ｇ／ｍ２以下、さらに好ましくは３６ｇ／ｍ２以下である。
【００４５】
また、表面シート２を構成する不織布の構成繊維としては、各種の合成繊維（疎水性繊維）をそのまま用いることもできるが、合成繊維に親水化処理を施したものが好ましい。この繊維の親水化処理としては、公知の処理を特に制限なく用いることができ、例えば、繊維表面に界面活性剤などの親水化剤を付着させる処理、繊維中への親水化剤の練り込み、コロナ放電処理又はプラズマ放電処理などが挙げられ、これらの２種以上を組み合わせても良い。
【００４６】
吸収パッド１の大きさは特に制限されず任意に設定できるが、前述したように、吸収パッド１は優れた吸泡機能を有することから、従来の洗髪用吸収パッドのような、シャンプー後の頭髪のすすぎを行うスペースを複数箇所確保し得るような大きなものである必要はなく、比較的コンパクトにすることができる。具体的には、吸収パッド１の自然状態において、縦方向Ｘ即ち被洗髪者の身長方向の長さは、好ましくは２００ｍｍ以上、さらに好ましくは２５０ｍｍ以上、そして、好ましくは６５０ｍｍ以下、さらに好ましくは６００ｍｍ以下であり、横方向Ｙ即ち被洗髪者の左右方向の長さは、好ましくは３５０ｍｍ以上、さらに好ましくは４００ｍｍ以上、そして、好ましくは１０００ｍｍ以下、さらに好ましくは９００ｍｍ以下である。
【００４７】
以上、本発明について説明したが、本発明は前述した実施形態に制限されず、本発明の趣旨を逸脱しない範囲で適宜変更可能である。例えば、本発明の洗髪用吸収パッドの平面視形状は、前記実施形態の吸収パッド１の如き矩形形状に制限されず、楕円形状などの異方性形状の他、正方形形状、円形状などの等方性形状でも良い。また、吸収体４に一旦吸収された液が表面シート２側へ逆流する不都合を防止する観点から、表面シート２と吸収体４との間に、不織布などからなる液透過性の液逆流防止層を介在配置しても良い。
【００４８】
以下、本発明を実施例により更に具体的に説明するが、本発明は斯かる実施例に限定されるものではない。
【００４９】
〔実施例１〜４及び比較例１〜８〕
図１及び図２に示す吸収パッド１と同様の構成を有する吸収パッドを作製した。作製した吸収パッドの縦方向（被洗髪者の身長方向）の長さは３００ｍｍ、横方向（被洗髪者の左右方向）の長さは７６０ｍｍであった。
表面シートとして、坪量１８ｇ／ｍ２のスパンボンド不織布を用い、また、表面シートの肌対向面に各剤を適宜塗布した。即ち、各剤を均一に塗り広げたロール又は平板などの平坦な面に、表面シートの肌対向面側のみを接触させることで、各剤を表面シートの肌対向面側に偏在させた。表面シートに塗布した剤の種類、表面シートにおける剤の含有量（塗布量）などは下記の通りとした。尚、２種類以上の剤を使用する場合は、その２種類以上の剤の均一混合物を、各剤の塗布量が下記の範囲となるように、表面シートに塗布した。
裏面シートとして、坪量２３ｇ／ｍ２の液難透過性のポリエチレン製樹脂フィルムを用いた。吸収体の構成として、吸収性コアとこれを被覆するコアラップシートを含む構成を採用し、吸収性コアとしては、繊維集合体に粒子状の吸水性ポリマーを保持させた構成のものとして、木材パルプ２５０ｇ／ｍ２と吸水性ポリマー粒子１００ｇ／ｍ２との均一混合物からなる吸収性コアを用い、コアラップシートとしては坪量１４ｇ／ｍ２の紙を用いた。
【００５０】
・実施例１：表面シートに塗布した剤の種類は、シリコーン系吸泡剤であるシリコーン油を吸泡助剤であるノニオン性界面活性剤でＯ／Ｗ型に乳化したもの（信越化学工業株式会社製、製品名「ＫＭ−７２」）１種類であり、塗布量は８０．０ｇ／ｍ２。
・実施例２：表面シートに塗布した剤の種類は、シリコーン系吸泡剤であるシリコーン油に吸泡助剤（微粒子）である微粉末シリカ（平均粒子径１．８μｍ）を配合したもの（信越化学工業株式会社製、製品名「ＫＳ−６６」）１種類であり、塗布量は８０．０ｇ／ｍ２。
・実施例３：表面シートに塗布した剤の種類は、シリコーン系吸泡剤であるジメチルポリシロキサンと吸泡助剤（界面活性剤）であるポリオキシエチレンアルキルエーテル及び吸泡助剤（微粒子）である微粉末シリカ（平均粒子径３．０μｍ）を配合したもの（花王株式会社製、製品名「アンチフォームＥ−２０」）１種類であり、塗布量は８０．０ｇ／ｍ２。
・実施例４：表面シートに塗布した剤の種類は、シリコーン系吸泡剤である親水性シリコーン油と吸泡助剤（界面活性剤）である炭化水素油とを混合したもの（信越化学工業株式会社製、製品名「ＫＳ−５３７」）１種類であり、塗布量は８０．０ｇ／ｍ２。
【００５１】
・比較例１：表面シートに吸泡剤及び吸泡助剤を塗布しなかった。
・比較例２：表面シートに塗布した剤の種類は、ジメチルポリシロキサン（信越化学工業株式会社製、製品名「ＫＦ−９６Ａ−１００ｃｓ」）１種類であり、塗布量は８０．０ｇ／ｍ２。
・比較例３：表面シートに塗布した剤の種類は、親水性シリコーン油（信越化学工業株式会社製、製品名「ＫＳ−６０４」）１種類であり、塗布量は８０．０ｇ／ｍ２。
・比較例４：表面シートに塗布した剤の種類は、ポリエーテル変性シリコーン油（信越化学工業株式会社製、製品名「ＫＦ−６０１５」）１種類であり、塗布量は８０．０ｇ／ｍ２。
・比較例５：表面シートに塗布した剤の種類は、ジメチルポリシロキサン（信越化学工業株式会社製、製品名「ＫＦ−９６Ａ−１００ｃｓ」）及びポリエーテル変性シリコーン油（信越化学工業株式会社製、製品名「ＫＦ−６０１５」）の２種類であり、前者の塗布量は４０．０ｇ／ｍ２、後者の塗布量は４０．０ｇ／ｍ２。
・比較例６：表面シートに塗布した剤の種類は、微粉末シリカ（平均粒子径３μｍ）１種類であり、塗布量は０．６ｇ／ｍ２。
・比較例７：表面シートに塗布した剤の種類は、脱イオン水及びポリオキシエチレン（６）ステアリルエーテル（花王株式会社製、製品名「エマルゲン３０６Ｐ」）の２種類であり、前者の塗布量は７７．０ｇ／ｍ２、後者の塗布量は１．５ｇ／ｍ２。
・比較例８：表面シートに塗布した剤の種類は、非イオン系ポリエーテル（花王株式会社製、製品名「消泡剤ｎｏ．１」）及び微粉末シリカ（平均粒子径３μｍ）の２種類であり、前者の塗布量は７２．０ｇ／ｍ２、後者の塗布量は８．０ｇ／ｍ２。
【００５２】
〔評価試験〕
各実施例及び比較例の吸収パッドについて、前記方法により吸泡時間を測定した。その結果を下記表１に示す。
【００５３】
【表１】
2018121689.tif 000003
シリコーン系吸泡剤及び吸泡助剤を含む実施例１〜４は、いずれも含まない比較例１、シリコーン系吸泡剤のみを含む比較例２〜５及び吸泡助剤のみを含む比較例６〜７並びに炭化水素系吸泡剤及び吸泡助剤を含む比較例８よりも、吸泡時間が著しく短かった。
【符号の説明】
【００５４】
１  洗髪用吸収パッド
２  表面シート
３  裏面シート
４  吸収体
５  吸収性本体
６  防漏カフ
１０  泡注入具
１１  開口
１２  円筒部
１３  フランジ部
２０  泡
２１  泡膜
２２  気−液界面
２３  吸泡剤
２４  吸泡助剤
Ｘ  縦方向〔被洗髪者（臥床者）の身長方向〕
Ｙ  横方向〔被洗髪者（臥床者）の左右方向〕
【図１】
2018121689.tif 000004
【図２】
2018121689.tif 000005
【図３】
2018121689.tif 000006
【図４】
2018121689.tif 000007
【図５】
2018121689.tif 000008
【図６】
2018121689.tif 000009